(57)【要約】【課題】ヒータをオンオフするリレーのショート異常を検知し、異常時にはヒータを所定温度の洗浄水でに浸からせ、安全性を確保できる食器洗い機を提供する。【解決手段】制御手段７０は、ヒータ１４の通電状態を状態検知手段１９により検知し、リレー２１、２３のショート異常を検知したときは、給水弁３１ａと排水ポンプ１１ｂを動作させてヒータ１４を洗浄水に浸からせ、洗浄水が所定の温度以下になるように制御するようにした食器洗い機。【選択図】図２
2012249778.tif 000002
【特許請求の範囲】
【請求項１】
被洗浄物を洗浄する食器洗い機であって、洗浄水を貯留する貯留部を有し、被洗浄物を収納する洗浄槽と、前記洗浄槽内の洗浄水を加熱したり被洗浄物を乾燥させるヒータと、前記ヒータをオンオフするリレーと、前記洗浄槽内への給水を制御する給水弁と、前記洗浄槽内の所定の水位を検知する水位検知手段と、前記洗浄槽内の洗浄水の温度を検知する温度検知手段と、前記洗浄槽に収納された被洗浄物に前記貯留部に貯留された洗浄水を噴射して被洗浄物を洗浄する洗浄ポンプと、前記洗浄槽内の洗浄水を排水する排水ポンプと、前記ヒータの通電状態を検知する状態検知手段と、被洗浄物の洗浄、すすぎ、乾燥の各工程を制御する制御手段を備え、前記制御手段は、洗浄、すすぎの工程において前記リレーのショート状態を前記状態検知手段により検知すると、前記排水ポンプと前記給水弁のオンオフを繰り返して、前記温度検知手段により洗浄水が所定の温度以下になるように制御するようにしたことを特徴とする食器洗い機。
【請求項２】
被洗浄物を洗浄する食器洗い機であって、洗浄水を貯留する貯留部を有し、被洗浄物を収納する洗浄槽と、前記洗浄槽内の洗浄水を加熱したり被洗浄物を乾燥させるヒータと、前記ヒータをオンオフするリレーと、前記洗浄槽内への給水を制御する給水弁と、前記洗浄槽内の所定の水位を検知する水位検知手段と、前記洗浄槽内の洗浄水の温度を検知する温度検知手段と、前記洗浄槽に収納された被洗浄物に前記貯留部に貯留された洗浄水を噴射して被洗浄物を洗浄する洗浄ポンプと、前記洗浄槽内の洗浄水を排水する排水ポンプと、前記ヒータの通電状態を検知する状態検知手段と、被洗浄物の洗浄、すすぎ、乾燥の各工程を制御する制御手段を備え、前記制御手段は、乾燥工程において前記リレーのショート状態を前記状態検知手段により検知すると、前記給水弁により、前記水位検知手段が所定の水位を検知するまで前記洗浄槽内に給水するとともに、前記排水ポンプと前記給水弁のオンオフを繰り返して、前記温度検知手段により洗浄水が所定の温度以下になるように制御するようにしたことを特徴とする食器洗い機。
【請求項３】
前記制御手段は、前記リレーのショート状態を前記状態検知手段により検知すると、前記リレーのオンオフを複数回繰り返すことにより、前記リレーのショート状態を解消するようにしたことを特徴とする請求項１または２記載の食器洗い機。
【請求項４】
前記制御手段は、前記給水弁をオンして前記洗浄槽内に給水した後、前記洗浄ポンプを所定時間動作させ、前記温度検知手段により洗浄水の温度を検知するようにした請求項１〜３のいずれか１項記載の食器洗い機。
【請求項５】
食器洗い機の異常を表示する表示手段と、異常を知らせる報知手段とをさらに備え、前記制御手段は、前記リレーのショート状態を前記状態検知手段により検知すると、前記表示手段と前記報知手段の少なくとも１つにより異常を知らせるようにしたことを特徴とする請求項１〜４のいずれか１項記載の食器洗い機。
【発明の詳細な説明】
【技術分野】
【０００１】
本発明はヒータで洗浄水や空気を加熱して食器類等の被洗浄物を洗浄、乾燥する食器洗い機に関するものである。
【背景技術】
【０００２】
従来、一般的な食器洗い機では、食器の洗浄に用いる洗浄水や空気を温めるヒータの通電状態を検出し、異常時には使用者にしらせるとともに、ヒータならびにその他の負荷を停止させるように構成されていた（例えば、特許文献１参照）。また、このような構成の食器洗い機では、ヒータの通電をオンオフするリレーの接点が溶着したり、リレー駆動回路が故障したりした場合に、ヒータへの通電を遮断することができず洗浄槽内の温度が高くなり不安全になるという課題があり、この課題を解決するために、オートパワーオフ用の遮断部や異常遮断専用のリレー等のさらなるヒータ通電遮断手段を備えた食器洗い機が提案されていた（例えば、特許文献２参照）。
【先行技術文献】
【特許文献】
【０００３】
【特許文献１】特開平８−２４１９６号公報
【特許文献２】特開平６−１０５７８７号公報
【発明の概要】
【発明が解決しようとする課題】
【０００４】
しかしながら、特許文献１の食器洗い機では、ヒータをオンオフするリレーがショート故障すると、ヒータに連続通電されたままになり、最終的にはヒータの近傍に配設された温度ヒューズが動作するが、それまでヒータが高温のまま放置されるため、不安全であった。
【０００５】
また、特許文献２の食器洗い機では、ヒータへの通電を遮断する別の手段を備える必要があり、制御回路や制御シーケンスが複雑になるとともに、コストアップにつながるという課題を有していた。また、オートパワーオフ用の遮断部や異常遮断専用のリレーが、ヒータおよびヒータの通電をオンオフする本来のリレーと直列に接続されているため、異常電流が流れた場合に、本来のリレーと同様に接点溶着を起こし、期待される機能を果たし得ないおそれもあった。
【０００６】
本発明の目的は、リレーのショート故障によってヒータに連続通電された場合においても、新たなヒータ通電遮断手段を必要とせずにリレーのショート故障に対応が可能で、不安全にならない食器洗い機を提供することである。
【課題を解決するための手段】
【０００７】
（１）本発明に係る食器洗い機は、洗浄水を貯留する貯留部を有し、被洗浄物を収納する洗浄槽と、洗浄槽内の洗浄水を加熱したり被洗浄物を乾燥させるヒータと、ヒータをオンオフするリレーと、洗浄槽内への給水を制御する給水弁と、洗浄槽内の所定の水位を検知する水位検知手段と、洗浄槽内の洗浄水の温度を検知する温度検知手段と、洗浄槽に収納された被洗浄物に貯留部に貯留された洗浄水を噴射して被洗浄物を洗浄する洗浄ポンプと、洗浄槽内の洗浄水を排水する排水ポンプと、ヒータの通電状態を検知する状態検知手段と、被洗浄物の洗浄、すすぎ、乾燥の各工程を制御する制御手段を備えるものである。
【０００８】
その食器洗い機においては、制御手段は、洗浄、すすぎの工程においてリレーのショー
ト状態を状態検知手段により検知すると、排水ポンプと給水弁のオンオフを繰り返して、温度検知手段により洗浄水が所定の温度以下になるように制御する。それにより、ヒータをオンオフするリレーがショート故障した場合においても、洗浄槽、洗浄水、食器かごなどが高温になることも無く、たとえ使用者が扉を開けても危険ではない。また、洗浄水がやがて蒸発してヒータにより空焚き状態になり、温度ヒューズが動作する前に、洗浄槽や食器かごや被洗浄物を熱で溶かしたり、焦がしたりすることも無い。このように故障状態でも安全に動作させることが可能になる。
【０００９】
また、洗浄水の温度は所定の温度に保たれているため、排水時に使用者が誤って触れても危険ではない。かつ、食器洗い機内の洗浄槽などの劣化もない。
【００１０】
（２）本発明に係る食器洗い機は、洗浄水を貯留する貯留部を有し、被洗浄物を収納する洗浄槽と、洗浄槽内の洗浄水を加熱したり被洗浄物を乾燥させるヒータと、ヒータをオンオフするリレーと、洗浄槽内への給水を制御する給水弁と、洗浄槽内の所定の水位を検知する水位検知手段と、洗浄槽内の洗浄水の温度を検知する温度検知手段と、洗浄槽に収納された被洗浄物に貯留部に貯留された洗浄水を噴射して被洗浄物を洗浄する洗浄ポンプと、洗浄槽内の洗浄水を排水する排水ポンプと、ヒータの通電状態を検知する状態検知手段と、被洗浄物の洗浄、すすぎ、乾燥の各工程を制御する制御手段を備えるものである。
【００１１】
その食器洗い機において、制御手段は、乾燥工程においてリレーのショート状態を状態検知手段により検知すると、給水弁により、水位検知手段が所定の水位を検知するまで洗浄槽内に給水するとともに、排水ポンプと給水弁のオンオフを繰り返して、温度検知手段により洗浄水が所定の温度以下になるように制御する。それにより、ヒータをオンオフするリレーがショート故障した場合、乾燥工程においても、洗浄槽、洗浄槽内の空気、食器かごなどが高温になることも無く、たとえ使用者が扉を開けても危険ではない。また、洗浄槽内がヒータにより空焚き状態になり、温度ヒューズが動作する前に、洗浄槽や食器かごや被洗浄物を熱で溶かしたり、焦がしたりすることも無い。このように故障状態でも安全に動作させることが可能になる。
【００１２】
また、この場合に給水された洗浄水の温度は所定の温度に保たれているため、排水時に使用者が誤って触れても危険ではない。かつ、食器洗い機内の洗浄槽などの劣化もない。
【００１３】
（３）制御手段は、リレーのショート状態を状態検知手段により検知すると、リレーのオンオフを複数回繰り返すことにより、リレーのショート状態を解消する。これにより、一時的にリレーがショート状態になっても、オンオフを複数回繰り返すことによりショート状態が解消されることがあり、運転を継続することが可能になる。
【００１４】
（４）制御手段は、給水弁をオンして洗浄槽内に給水した後、洗浄ポンプを所定時間動作させ、温度検知手段により洗浄水の温度を検知する。これにより、給水弁によって洗浄槽内に給水された直後の洗浄水の温度は不均一であるが、洗浄ポンプで撹拌することによって温度検知手段による洗浄水の温度の検知を正確にし、洗浄水の所定温度以下での制御をより確実なものとすることができる。
【００１５】
（５）食器洗い機は、異常を表示する表示手段と、異常を知らせる報知手段とをさらに備え、制御手段は、リレーのショート状態を状態検知手段により検知すると、表示手段と報知手段の少なくとも１つにより異常を知らせる。これにより、使用者は食器洗い機の故障を確認でき、コンセントを抜くことにより、ヒータへの通電が停止できる。
【発明の効果】
【００１６】
本発明によれば、故障によりヒータに連続通電されても、洗浄槽や食器かごや被洗浄物
に損傷はない。また使用者に対しても危険が無くなる。したがって、使用者は故障を確認でき、修理作業者に連絡し、コンセントを抜くなどして安全に対応することができる。
【図面の簡単な説明】
【００１７】
【図１】本発明の一実施の形態に係る食器洗い機の構成を示す側面図
【図２】同食器洗い機の制御系の構成を示すブロック図
【図３】同食器洗い機の動作概要を示すフローチャート
【図４】同食器洗い機の制御手段による正常状態のリレーの出力信号とヒータ状態検知信号のタイミングチャート
【図５】同食器洗い機の制御手段によるリレーショート異常状態のリレーの出力信号とヒータ状態検知信号のタイミングチャート
【図６】同食器洗い機の制御手段によるリレーショート異常状態のリレーの回復動作を示すタイミングチャート
【図７】同食器洗い機の制御手段によるリレーショート異常状態における、洗浄工程時の洗浄水の温度と排水ポンプと給水弁と洗浄ポンプの動作を示すタイミングチャート
【図８】同食器洗い機の制御手段によるリレーショート異常状態における、乾燥工程時の洗浄水の温度と排水ポンプと給水弁と洗浄ポンプの動作を示すタイミングチャート
【図９】同食器洗い機の制御手段の洗浄工程時の制御動作を示すフローチャート
【図１０】同食器洗い機の制御手段の乾燥工程時の制御動作を示すフローチャート
【発明を実施するための形態】
【００１８】
以下、本発明の一実施の形態に係る食器洗い機について図面を参照しながら説明する。以下の説明においては、食器等の被洗浄物の洗浄およびすすぎに用いられる液体を洗浄水と称する。
【００１９】
（１）食器洗い機の構成
図１は、本発明の一実施の形態に係る食器洗い機の構成を示す側面図である。図１の側面図では、食器洗い機１の内部が透過して図示されている。
【００２０】
図１に示すように、食器洗い機１は筐体１ａを備える。筐体１ａの前面部には、開閉可能な扉１６が設けられている。扉１６の一部には窓部１６ａが形成されている。筐体１ａ内に、食器等の被洗浄物１０を収納し洗浄を行うための洗浄槽２が設けられている。洗浄槽２の上段部には、上段食器かご８が前後方向に移動可能に設けられている。洗浄槽２の下段部には、下段食器かご９が前後方向に移動可能に設けられている。上段食器かご８ならびに下段食器かご９に、種々の被洗浄物１０が収容される。
【００２１】
洗浄槽２の背面には、略十字状の固定洗浄ノズル５が配置されている。洗浄槽２の一側面側において、固定洗浄ノズル５から前方に延びるように、導水管６が取り付けられている。導水管６の先端部に、回転洗浄ノズル７が鉛直軸周りに回転可能に取り付けられている。回転洗浄ノズル７は回転中心から一方向および逆方向に延びる羽根部を有し、それらの羽根部の上面に複数の液噴射口（図示せず）が形成されている。回転洗浄ノズル７は、上段食器かご８の下方に配置される。洗浄槽２の底部には回転洗浄ノズル３が鉛直軸周りに回転可能に取り付けられている。回転洗浄ノズル３は、回転洗浄ノズル７と同様に、回転中心から一方向および逆方向に延びる羽根部を有し、それらの羽根部の上面には複数の液噴射口（図示せず）が形成されている。
【００２２】
下段食器かご９の下方における洗浄槽２の前面側には、被洗浄物１０の洗浄またはすすぎに用いられる洗浄水を一時的に貯留する貯留部１２が形成されている。貯留部１２には、貯留された洗浄水を加熱するため、および洗浄槽２内部の雰囲気を加熱するためのヒータ１４が配置されている。また、貯留部１２には、貯留された洗浄水の温度および洗浄槽
２内部の雰囲気の温度を検出する温度検知手段（温度センサ）１７が設けられている。貯留部１２の底部には、排水口１２ａが形成されている。排水口１２ａの直上には、被洗浄物１０から取り除かれた残菜を収集するための残菜フィルタ１３が着脱可能に取り付けられている。なお、本実施の形態において、残菜とは、洗浄またはすすぎにより被洗浄物１０から取り除かれた汚れのうちの固形物をいう。
【００２３】
排水口１２ａの下部には、洗浄水導入導出部Ｇが形成されている。洗浄水導入導出部Ｇには、給水管３１の一端が接続されている。給水管３１は筐体１ａの外部に延びるとともに、その他端が図示しない水道配管に接続される。筐体１ａの内部において、給水管３１には給水弁３１ａが介挿されている。給水弁３１ａが開くことにより、洗浄水導入導出部Ｇ内に洗浄水として水道水が導入される。
【００２４】
また、洗浄水導入導出部Ｇには、配管１１ａを介してポンプ１１が接続されている。これにより、ポンプ１１の内部空間と洗浄水導入導出部Ｇおよび給水管３１の内部空間とが連通する。ポンプ１１には、筐体１ａの外部に延びる排水管３２、および分水機構３０が取り付けられている。なお、本実施の形態では、ポンプ１１として可逆回転型のポンプが用いられる。
【００２５】
ポンプ１１の側方には、ファン２８が設けられている。ファン２８は、図示しない気体導入管を通して洗浄槽２の背面から洗浄槽２の内部に気体を供給する。これにより、後述する被洗浄物１０の乾燥工程で洗浄槽２の内部空間に気流が発生する。
【００２６】
食器洗い機１において、被洗浄物１０の洗浄またはすすぎが行われる場合には、まず給水弁３１ａが開かれることにより給水管３１から洗浄水導入導出部Ｇおよび排水口１２ａを通して貯留部１２内に洗浄水（水道水）が供給される。
【００２７】
所定量の洗浄水が貯留部１２内に貯留された後、ポンプ１１のモータが正方向に回転する。これにより、貯留部１２に貯留された洗浄水がポンプ１１により吸引され、分水機構３０を介して各洗浄ノズルに圧送される。回転洗浄ノズル３の液噴射口から下段食器かご９に収容された被洗浄物１０に向けて洗浄水が噴射される。このときポンプ１１は洗浄ポンプ１１ｃとして動作する。また、洗浄水は回転洗浄ノズル７の液噴射口から上段食器かご８に収容された被洗浄物１０に向けて洗浄水が噴射される。回転洗浄ノズル３、７から洗浄水が噴射される際には、洗浄水の噴射に伴って羽根部に作用する反力により回転洗浄ノズル３、７が鉛直軸周りに回転する。また、洗浄槽２の背面に配置された固定洗浄ノズル５の液噴射口からも洗浄水が噴射される。
【００２８】
上記の食器洗い機１において、被洗浄物１０の洗浄またはすすぎが終了すると、ポンプ１１のモータが逆方向に回転する。これにより、貯留部１２に貯留された洗浄水および分水機構３０に残留する洗浄水が、排水口１２ａおよび洗浄水導入導出部Ｇを通してポンプ１１により吸引され、排水管３２を通して洗浄槽２の外部に排出される。このときポンプ１１は排水ポンプ１１ｂとして動作する。
【００２９】
図２は本発明の一実施の形態に係る食器洗い機の制御系の構成を示すブロック図である。図２に示すように、食器洗い機１は、制御手段７０を備える。制御手段７０には、水位検知手段４、温度検知手段（温度センサ）１７、報知手段１８、表示手段１５、リレー２１を駆動する駆動手段２０、状態検知手段１９、リレー２３を駆動する駆動手段２２、負荷駆動手段２７が接続される。制御手段７０は、これらの接続された各手段を制御して、洗浄、すすぎ、乾燥の各工程を実行する。
【００３０】
制御手段７０は、ランプなどの表示手段１５やブザーなどの報知手段１８により、食器
洗い機１が故障したとき、使用者に知らせることができる。制御手段７０は、洗浄槽２内の洗浄水の温度を温度検知手段１７により検知する。制御手段７０は、負荷駆動手段２７により、排水ポンプ１１ｂ、洗浄ポンプ１１ｃ、給水弁３１ａ、乾燥機構（ファン２８など）をオンオフさせる。制御手段７０は、洗浄槽２内に給水弁３１ａの開閉により給水し、水位検知手段４により所定の水位になるまで給水する。所定の水位はヒータ１４が十分水面下にある水位に設定される。
【００３１】
商用電源２６はヒータ１４ならびに制御手段７０に供給される。ヒータ１４にはリレー２１、温度ヒューズ２４、温度ヒューズ２５、リレー２３が直列接続されている。温度ヒューズ２４および温度ヒューズ２５はヒータ１４の近傍の洗浄槽２に配設されており、ヒータ１４が異常な温度になったときに動作して、ヒータ１４への通電を遮断する。制御手段７０は駆動手段２０と駆動手段２２を動作させて、リレー２１とリレー２３をオンオフする。リレー２１とリレー２３が共にオンするときに、ヒータ１４に通電されることになる。制御手段７０は状態検知手段１９により、ヒータ１４の通電状態を検知する。
【００３２】
（２）食器洗い機の動作概要
食器洗い機１の動作概要について説明する。図３は、食器洗い機１の動作概要を示すフローチャートである。図３に示すように、まず、洗浄槽２内に残留する洗浄水が排出され、給水弁３１ａが開かれることにより給水管３１から貯留部１２内に水道水が供給される（ステップＳ１：排水／給水工程）。
【００３３】
次に、洗浄槽２内に供給された水道水に洗剤が加えられることにより洗浄水が得られ、その洗浄水がポンプ１１（洗浄ポンプ１１ｃ）により分水機構３０を介して各洗浄ノズルに圧送される。これにより、回転洗浄ノズル３、７および固定洗浄ノズル５から被洗浄物１０に洗浄水が噴射され、被洗浄物１０の洗浄が行われる（ステップＳ２：洗浄工程）。この場合、被洗浄物１０に噴射された洗浄水は、洗浄槽２の壁面等を伝って貯留部１２に流入し、再び貯留部１２に貯留される。貯留部１２に貯留された洗浄水は、再びポンプ１１により圧送され、各洗浄ノズル３、５、７から被洗浄物１０に噴射される。このように、被洗浄物１０の洗浄時には、洗浄槽２の内部で洗浄水が循環する。
【００３４】
被洗浄物１０の洗浄が終了すると、被洗浄物１０の洗浄に用いられた洗浄水がポンプ１１（排水ポンプ１１ｂ）により排水管３２を通して排出される。そして、給水弁３１ａが開かれることにより、洗浄槽２の貯留部１２に再び水道水が供給される（ステップＳ３：排水／給水工程）。
【００３５】
次に、洗浄槽２内に供給された水道水が、洗浄水としてポンプ１１により圧送される。これにより、各洗浄ノズル３、５、７から被洗浄物１０に洗浄水が噴射され、被洗浄物１０のすすぎが行われる（ステップＳ４：すすぎ工程）。
【００３６】
被洗浄物１０のすすぎが終了すると、すすぎに用いられた洗浄水がポンプ１１により排水管３２を通して排出される。そして、給水弁３１ａが開かれることにより、洗浄槽２の貯留部１２に再び水道水が供給される（ステップＳ５：排水／給水工程）。
【００３７】
次に、ヒータ１４が動作することにより、貯留部１２内に貯留された水道水が所定の温度に加熱される。そして、加熱された水道水が、洗浄水としてポンプ１１により圧送される。これにより、各洗浄ノズル３、５、７から被洗浄物１０に所定温度に加熱された洗浄水が噴射され、被洗浄物１０の加熱すすぎが行われる（ステップＳ６：すすぎ工程）。この場合、熱によって被洗浄物１０の除菌を行うことができるとともに、後の乾燥工程における被洗浄物１０の乾燥効率を高めることができる。
【００３８】
被洗浄物１０の加熱すすぎが終了すると、加熱すすぎに用いられた洗浄水がポンプ１１により排水管３２を通して排出される（ステップＳ７：排水工程）。
【００３９】
最後に、ポンプ１１の動作が停止され、図１のファン２８が動作する。ファン２８は、洗浄槽２の内部空間に気流を発生させる。これにより、ヒータ１４により所定温度に加熱された雰囲気が洗浄槽２の内部を循環する。それにより、被洗浄物１０が乾燥される（ステップＳ８：乾燥工程）。被洗浄物１０の乾燥が完了することにより、食器洗い機１における一連の動作が終了する。
【００４０】
なお、上記では言及していないが、実際には、ステップＳ２の洗浄工程においても洗浄水がヒータ１４により所定の温度に加熱される。
【００４１】
（３）ヒータ状態検知信号の詳細
リレー２１およびリレー２３が正常状態である場合と、故障によりショート状態である場合について説明する。図４は制御手段７０による正常状態時のリレー２１の駆動手段２０、リレー２３の駆動手段２２の出力信号とヒータ１４の状態検知信号のタイミングチャートである。図５は制御手段７０による異常状態時のリレー２１の駆動手段２０、リレー２３の駆動手段２２の出力信号とヒータ１４の状態検知信号のタイミングチャートである。
【００４２】
図４に示すように、ヒータ１４に通電するときは制御手段７０は駆動手段２０にオンオフ信号（図４におけるリレー１出力信号）を出力することによりリレー２１を制御し、駆動手段２２にオンオフ信号（図４におけるリレー２出力信号）を出力することによりリレー２３を制御する。リレー２１、リレー２３がオン状態にあるとき、ヒータ１４に商用電源２６が通電される。このとき、制御手段７０は状態検知手段１９によりヒータ１４が通電されているかどうかを検知する。ヒータ１４がオン状態では状態検知手段１９から制御手段７０にパルス信号が入力され、ヒータ１４がオフ状態ではパルスは入力されない。
【００４３】
図５に示すように、リレー２１、リレー２３がともにショート故障状態である場合、駆動手段２０、駆動手段２２の出力信号がオフの場合でも、状態検知手段１９によりパルス信号が制御手段７０に入力される。これにより、制御手段７０はリレー２１、リレー２３のショート故障を検知することができる。駆動手段２０、駆動手段２２、制御手段７０の出力のそれぞれが故障してオン信号を出し続けた場合も同様の状態になる。
【００４４】
（４）リレー回復動作の詳細
リレー２１およびリレー２３が異常状態時のリレーの回復動作について説明する。図６は制御手段７０によるリレーショート異常状態時のリレーの回復動作を示すタイミングチャートである。
【００４５】
図６に示すように、制御手段７０は駆動手段２０、駆動手段２２にオンオフ信号を複数回繰り返し出力する。たとえば、１秒オン−１秒オフを１サイクルとして５〜１０回繰り返して、リレー２１、リレー２３の接点（図示せず）の開閉を試みる。リレー接点の溶着によりショート故障している場合は数回のオンオフにより正常に復帰させることが可能である。
【００４６】
（５）洗浄工程およびすすぎ工程時の制御動作
洗浄工程時の制御動作について説明する。図７は制御手段７０によるリレーショート異常状態における、洗浄工程時の洗浄水の温度と排水ポンプ１１ｂと給水弁３１ａと洗浄ポンプ１１ｃの動作を示すタイミングチャートである。図９は制御手段７０の制御動作を示すフローチャートである。
【００４７】
図７および図９に示すように、洗浄工程中に（ステップＳ１０）、制御手段７０は温度検知手段１７から洗浄水の温度を入力し、あらかじめ設定された温度である、たとえば７０℃以上になっているかどうかを判断し（ステップＳ１１）、７０℃未満の場合は洗浄工程を続ける。７０℃以上になるとリレー２１、２３をともにオフさせる（ステップＳ１２）。
【００４８】
次に、制御手段７０は状態検知手段１９により、リレー２１、２３がともにショート状態であるか判断する（ステップＳ１３）。正常すなわちヒータ状態検知信号の入力がなければ次工程に進む。異常である場合は、上記（４）で述べたリレーの回復動作を行う（ステップＳ１４）。この回復動作でリレー２１、２３が正常状態に復帰すれば（ステップＳ１５）、次工程に進む。このリレー回復動作を行ってもリレー２１、２３がともにショート故障状態で、ヒータ１４に通電され続けると危険であるため、制御手段７０は表示手段１５や報知手段１８により異常を使用者に知らせ（ステップＳ１６）、直ちにコンセントを抜くなどの処置を促す。
【００４９】
従来の特許文献１のような食器洗い機では異常を使用者に知らせるのみであったため、使用者が気づかずに放置されたままであると、やがては洗浄水が蒸発して空焚き状態になり、ヒータ１４近傍の温度ヒューズ２４、２５が動作する前に、洗浄槽２や下段食器かご９や回転洗浄ノズル３や被洗浄物１０などの樹脂を溶かしたり、傷めたりする場合があった。
【００５０】
本発明によれば、排水ポンプ１１ｂをＴ１分（たとえば、１分）動作する（ステップＳ１７）。このとき、ヒータ１４は必ず洗浄水の中に位置するように時間を調整する。次に、給水弁３１ａを動作させて洗浄槽２内に水道水を入れる（ステップＳ１８）。水位検知手段４により所定の水位まで給水されると給水弁３１ａを閉じて給水を終了する（ステップＳ１９、Ｓ２０）。所定の水位は、ヒータ１４が十分に浸かっている位置に設定されている。これにより、洗浄槽２内の洗浄水の温度は低下する。
【００５１】
次に、洗浄ポンプ１１ｃをＴ２分（たとえば、０．５分）動作させて洗浄水を撹拌する（ステップＳ２１）。これは洗浄槽２内の洗浄水の温度が不均一であるため、正確に温度検知手段１７により温度を検知するためである。洗浄水の温度が４０℃以下になるまでステップＳ１７からステップＳ２１が繰り返される（ステップＳ２２）。洗浄水の温度が４０℃未満になると排水ポンプ１１ｂ、給水弁３１ａ、洗浄ポンプ１１ｃの動作は停止され、再び洗浄水の温度が７０℃以上になると同様の動作が繰り返される（ステップＳ２３）。
【００５２】
以上のように、ヒータ１４は絶えず洗浄水の中にあり、洗浄水の温度も７０℃以下に保たれるので、安全である。使用者が異常に気づいてコンセントを抜くまで上記の動作が行われ、コンセントを抜くことでヒータ１４への通電がなくなる。
【００５３】
（６）乾燥工程時の制御動作
乾燥工程時の制御動作について説明する。図８は制御手段７０によるリレーショート異常状態における、乾燥工程時に給水された洗浄水の温度と排水ポンプ１１ｂと給水弁３１ａと洗浄ポンプ１１ｃの動作を示すタイミングチャートである。図１０は制御手段７０の制御動作を示すフローチャートである。
【００５４】
図８および図１０に示すように、乾燥工程を行う（ステップＳ１０１）。乾燥工程では、ファン２８が連続オンされるとともに、たとえば、リレー２１、リレー２３を２分オン−２分オフされて、被洗浄物１０を熱風乾燥させる。リレー２１、リレー２３をオフにし
ているとき、制御手段７０は状態検知手段１９により、リレー２１、リレー２３がともにショート状態であるか判断する（ステップＳ１０２）。
【００５５】
正常すなわちヒータ状態検知信号の入力がなければ、乾燥時間に達したか判断し、乾燥時間が終了すると運転を停止する（ステップＳ１０３）。異常である場合は、リレーの回復動作を行う（ステップＳ１０４）。この回復動作でリレー２１、２３が正常状態に復帰すれば（ステップＳ１０５）、終了する。このリレー回復動作を行ってもリレー２１、リレー２３がともにショート故障状態で、ヒータ１４に通電され続けると危険であるため、制御手段７０は表示手段１５や報知手段１８により異常を使用者に知らせ（ステップＳ１０６）、直ちにコンセントを抜くなどの処置を促す。
【００５６】
従来の特許文献１のような食器洗い機では異常を使用者に知らせるのみであったため、使用者が気づかずに放置されたままであると、やがてはヒータ１４近傍の温度ヒューズ２４、温度ヒューズ２５が動作する前に、洗浄槽２や下段食器かご９や回転洗浄ノズル３や被洗浄物１０などの樹脂を溶かしたり、傷めたりする場合があった。
【００５７】
本発明によれば、給水弁３１ａを動作させて洗浄槽２内に水道水を入れる（ステップＳ１０７）。水位検知手段４により所定の水位まで給水されると給水弁３１ａを閉じて給水を終了する（ステップＳ１０８、Ｓ１０９）。所定の水位は、ヒータ１４が十分に浸かっている位置に設定されている。これにより、洗浄槽２の温度は低下する。
【００５８】
次に、洗浄ポンプ１１ｃをＴ２分（たとえば、０．５分）動作させて洗浄水を撹拌する（ステップＳ１１０）。これは洗浄槽２内の洗浄水の温度が不均一であるため、正確に温度検知手段１７により温度を検知するためである。洗浄水の温度が４０℃以下ならば（ステップＳ１１１）、洗浄水の温度が７０℃以上になるまで放置される（ステップＳ１１２）。洗浄水の温度が４０℃を超えていた場合、排水ポンプ１１ｂをＴ１分（たとえば、１分）動作する（ステップＳ１１３）。このとき、ヒータ１４は必ず洗浄水の中に位置するように時間を調整する。以降ステップＳ１０７からステップＳ１１３を繰り返して洗浄水の温度を約４０℃から７０℃の間に制御することができる。
【００５９】
以上のように、乾燥工程時にリレーショート異常状態となった場合においても、ヒータ１４は絶えず洗浄水の中にあり、洗浄水の温度も７０℃以下に保たれるので、安全である。使用者が異常に気づいてコンセントを抜くまで上記の動作が行われ、コンセントを抜くことでヒータ１４への通電がなくなる。
【００６０】
（７）効果
従来の特許文献１のような食器洗い機では、リレー２１とリレー２３がともにショート故障した場合、制御手段７０によりヒータ１４への通電を停止させることができず、温度ヒューズ２４または温度ヒューズ２５が溶断して、ヒータ１４への通電がなくなるまで放置せざるをえなかった。温度ヒューズが溶断するまで２〜３分程度かかるので、そのときに、使用者が扉１６をあけると、高温になったヒータ１４が露出している場合もあり、また、下段食器かご９、被洗浄物１０、洗浄槽２なども高温になっておりとても危険であった。
【００６１】
本発明の食器洗い機によれば、リレー２１とリレー２３がともにショート故障したことを検知すると、ヒータ１４を４０℃〜７０℃の洗浄水に浸からせ、安全性を確保することができる。使用者は異常を報知手段１８や表示手段１５により知り、コンセントを抜くことでヒータ１４への通電は停止される。
【００６２】
また、本発明の食器洗い機によれば、特許文献２の食器洗い機のようなヒータへの通電
を遮断する別の手段を備える必要がなく、制御回路や制御シーケンスがシンプルで安価に構成できるとともに、ヒータへの通電を遮断する方法ではなく、ヒータを水冷する方法によってヒータのリレー異常に対応させることによって、異常電流が流れた場合においても確実に安全性を確保することができる。
【００６３】
（８）他の実施の形態
上記実施の形態では、洗浄工程、乾燥工程におけるリレー２１、リレー２３のショート異常について述べたが、すすぎ工程も同様の制御を行うことで、すすぎ工程時のリレーショート異常に対応させることができる。また、上記実施の形態では、洗浄水の温度は４０℃〜７０℃に制御されたが、さらに安全性を考慮して低い温度に制御しても良い。
【産業上の利用可能性】
【００６４】
本発明は、食器洗い機、洗濯乾燥機等の被洗浄物を洗浄し、乾燥する装置に有効に利用することができる。
【符号の説明】
【００６５】
１  食器洗い機
２  洗浄槽
３、７  回転洗浄ノズル
４  水位検知手段
５  固定洗浄ノズル
１０  被洗浄物
１１  ポンプ
１１ｂ  排水ポンプ
１１ｃ  洗浄ポンプ
１２  貯留部
１４  ヒータ
１５  表示手段
１７  温度検知手段
１８  報知手段
１９  状態検知手段
２０、２２  駆動手段
２１、２３  リレー
２７  負荷駆動手段
２８  ファン
３１ａ  給水弁
７０  制御手段
【図２】
2012249778.tif 000003
【図３】
2012249778.tif 000004
【図４】
2012249778.tif 000005
【図５】
2012249778.tif 000006
【図６】
2012249778.tif 000007
【図７】
2012249778.tif 000008
【図８】
2012249778.tif 000009
【図９】
2012249778.tif 000010
【図１０】
2012249778.tif 000011
【図１】
2012249778.tif 000012